(57)【要約】      （修正有）【課題】直立型掃除機を充電器に脱着させる際のぐらつきを抑制することが可能な掃除機収納台を提供する。【解決手段】充電器に装着される直立型掃除機を直立型掃除機が直立した状態のままで収納可能な掃除機収納台１０において、前端２０ａ及び後端２０ｂを有して床面に載置されるベース２０、ベース２０に対して垂直に立設される垂直部３０、垂直部３０に設けられ、直立型掃除機に装着される充電器が取り付けられる取付部、垂直部３０に設けられ、ベース２０の後端２０ｂに対して垂直部３０から垂直部３０の後方に突出する固定棚５０を備える。【選択図】図４
0003210455.tif 000002
【実用新案登録請求の範囲】
【請求項１】
充電器に装着される充電部を有する直立型掃除機を該直立型掃除機が直立した状態のままで収納可能な掃除機収納台において、
前端及び後端を有して床面に載置されるベースと、
該ベースに対して垂直に立設される垂直部と、
該垂直部に設けられ、前記直立型掃除機の前記充電部に装着される前記充電器が取り付けられる取付部と、
前記垂直部に設けられ、前記ベースの前記後端に対して前記垂直部から該垂直部の後方に突出する固定棚と、
を備えることを特徴とする掃除機収納台。
【請求項２】
前記固定棚は、
前記垂直部の後方に突出して水平方向に延在する載置部と、
該載置部から上方に屈曲して形成されたフランジ部と、
を備えることを特徴とする請求項１に記載の掃除機収納台。
【請求項３】
前記固定棚は、
前記フランジ部の外表面において該フランジ部の外表面から突出する衝撃緩衝部材が設けられたことを特徴とする請求項２に記載の掃除機収納台。
【考案の詳細な説明】
【技術分野】
【０００１】
本考案は、掃除機収納台、特に、直立した状態のままで直立型掃除機を収納可能な掃除機収納台に関する。
【背景技術】
【０００２】
一般に、直立型掃除機は軽量で操作性に富み、収納時には、例えば一般家庭向けの住居では、家具と壁との間の狭隘な空間において、家具または壁に立てかけて収納できることから、利便性が高く、広く普及している。
【０００３】
このような直立型掃除機には、充電して使用するものが存在しており、充電器を例えば壁にネジ等で固定して、この充電器に直立型掃除機を装着すると、直立型掃除機を充電しながら直立したままの状態で収納することができる。
【０００４】
しかし、充電器をネジ等で壁に固定すれば、壁に孔を開けることになるから、賃貸物件では、充電器を壁に固定することは困難である。賃貸物件でなくとも、壁に孔を開けないで充電式の直立型掃除機を直立したままの状態で収納したいという要望がある。
【０００５】
特許文献１には、床面に設置される床設置台、この床設置台に垂直に立設された垂直板を備え、垂直板の上部に充電器が取り付けられる取付部が形成された直立型掃除機収納台が開示されている。
【０００６】
この特許文献１の直立型掃除機収納台によれば、垂直板の取付部に充電器を取り付けておき、収納時に直立型掃除機を充電器に装着させると、充電器を介して直立型掃除機が垂直板に支持される。これにより、直立型掃除機を充電しながら直立したままの状態で収納することができる。
【先行技術文献】
【特許文献】
【０００７】
【特許文献１】実用新案登録第３２０４９８１号公報
【考案の概要】
【考案が解決しようとする課題】
【０００８】
しかし、特許文献１の直立型掃除機収納台によれば、垂直板の取付部に取り付けられた充電器に直立型掃除機を装着する際、あるいは充電器から離脱させる場合には、充電器が取り付けられた垂直部がその前後に揺動して直立型掃除機収納台がぐらつくことがある。
【０００９】
このように、直立型掃除機収納台がぐらつくと、直立型掃除機収納台が壁際に配置されているような場合には、垂直部が壁に衝突することによって、壁に打痕や傷が発生することが懸念される。
【００１０】
本考案は、上記事情に鑑みてなされたものであり、直立型掃除機を充電器に脱着させる際のぐらつきを抑制することが可能な掃除機収納台を提供することを課題とするものである。
【課題を解決するための手段】
【００１１】
上記課題を解決するための第１の掃除機収納台は、充電器に装着される充電部を有する直立型掃除機を該直立型掃除機が直立した状態のままで収納可能な掃除機収納台において、前端及び後端を有して床面に載置されるベースと、該ベースに対して垂直に立設される垂直部と、該垂直部に設けられ、前記直立型掃除機の前記充電部に装着される前記充電器が取り付けられる取付部と、前記垂直部に設けられ、前記ベースの前記後端に対して前記垂直部から該垂直部の後方に突出する固定棚と、を備えることを特徴とする。
【００１２】
この構成によれば、掃除機収納台を壁際に配置すると、固定棚が壁に当接する。したがって、垂直部が固定棚を介して壁に支持されることで、垂直部の揺動が規制されることから、直立型掃除機を垂直部の取付部に取り付けられた充電器に装着する際、あるいは充電器から離脱させる際には、掃除機収納台のぐらつきが抑制される。
【００１３】
このとき、ベースの後端が壁の幅木に当接する場合であっても、固定棚は、ベースの後端に対して垂直部から垂直部の後方に向かって突出することから、固定棚の壁への当接が阻害されることがない。
【００１４】
さらに、直立型掃除機が充電器に装着されて掃除機収納台に収納されているときに、直立型掃除機の自重によって垂直部が若干前傾したとしても、固定棚は垂直部の後方に突出していることから、固定棚が壁から離間することなく当接される。
【００１５】
したがって、充電器に対して直立型掃除機を脱着する際にも、掃除機収納台のぐらつきが抑制されて、直立型掃除機の脱着を安定して行うことができる。
【００１６】
第２の掃除機収納台は、第１の掃除機収納台において、前記固定棚は、前記垂直部の後方に突出して水平方向に延在する載置部と、該載置部から上方に屈曲して形成されたフランジ部と、を備えることを特徴とする。
【００１７】
この構成によれば、固定棚は、垂直部の後方に突出して水平方向に延在する載置部、及びこの載置部から上方に屈曲して形成されたフランジ部を備えることから、簡易な構成によって掃除機収納台のぐらつきを抑制することができる固定棚を得ることができる。
【００１８】
第３の掃除機収納台は、第１または第２の掃除機収納台において、前記固定棚は、前記フランジ部の外表面において該フランジ部の外表面から突出する衝撃緩衝部材が設けられたことを特徴とする。
【００１９】
この構成によれば、フランジ部の外表面に、外表面から突出する衝撃緩衝材が設けられていることから、フランジ部が壁に当接した際に壁から付与される衝撃が緩和される。
【考案の効果】
【００２０】
この考案によると、垂直部の取付部に取り付けられた充電器に直立型掃除機を装着する際、あるいは充電器から離脱させる際に、固定棚が壁に当接することから、垂直部が固定棚を介して壁に支持される。したがって、掃除機収納台のぐらつきが抑制される。
【図面の簡単な説明】
【００２１】
【図１】本考案の実施の形態に係る掃除機収納台の概略を説明する斜視図である。
【図２】図１のＡ部の拡大図である。
【図３】同じく、本実施の形態に係る掃除機収納台の概略を説明する背面斜視図である。
【図４】同じく、本実施の形態に係る掃除機収納台の概略を説明する側面図である。
【図５】同じく、本実施の形態に係る掃除機収納台に直立型掃除機の充電器が取り付けられ、かつロボット掃除機の充電器が配置された状態の概要を説明する図である。
【図６】同じく、直立型掃除機の充電器に直立型掃除機が装着され、かつロボット掃除機の充電器にロボット掃除機が装着されて、各掃除機が掃除機収納台に収納された状態の概要を説明する図である。
【図７】同じく、本実施の形態に係る掃除機収納台に、複数の可動棚が配置された状態の概略を説明する図である。
【図８】本実施の形態に係る掃除機収納台に収納される直立型掃除機及びロボット掃除機の概略を説明する図であり、Ａは直立型掃除機、Ｂはロボット掃除機の概略を説明する図である。
【考案を実施するための形態】
【００２２】
次に、図１〜図８に基づいて、本考案の実施の形態について説明する。
【００２３】
掃除機収納台は、本実施の形態では、直立型掃除機を直立したままの状態で収納するとともに、この直立型掃除機が収納されたままの状態で、自走して床面の掃除を行うロボット掃除機をも収納するものである。
【００２４】
この掃除機収納台の説明に先立って、掃除機収納台に収納される直立型掃除機及びロボット掃除機の概略を説明する。
【００２５】
図８は、掃除機収納台に収納される直立型掃除機及びロボット掃除機の概略を説明する図であり、Ａは直立型掃除機、Ｂはロボット掃除機の概略を説明する図である。
【００２６】
図８Ａで示すように、直立型掃除機１００は、電装品、蓄電池、モータ及びフィルタ等が内蔵されるとともに充電器１０５に装着される充電部１０１ａが形成された本体部１０１、基端１０２ａ及び先端１０２ｂを有する吸込パイプ１０２、基端１０２ａにおいて吸込パイプ１０２が本体部１０１に連結された状態で吸込パイプ１０２の先端１０２ｂに連結される吸込用部材である吸込ヘッド１０３を主要構成として備える。
【００２７】
一方、図８Ｂで示すように、ロボット掃除機１１０は、電装品、蓄電池、モータ及びフィルタ等が内蔵されるケーシング１１１、及びケーシング１１１に組み込まれた図示しない一対の駆動輪を有し、充電器１１５に装着されて蓄電池が充電されると、自走して床面を掃除することが可能となる。
【００２８】
このロボット掃除機１１０は、床面の掃除が完了すると、充電器１１５が配置された位置を検出し、この位置を帰還位置と認識して、充電器１１５が配置された位置に帰還する。
【００２９】
次に、本実施の形態に係る掃除機収納台について説明する。
【００３０】
図１は、本実施の形態に係る掃除機収納台の概略を説明する斜視図、図２は、図１のＡ部の拡大図、図３は、掃除機収納台の概略を説明する背面斜視図、図４は、本実施の形態に係る掃除機収納台の概略を説明する側面図である。
【００３１】
図１で示すように、掃除機収納台１０は、床面に載置される板状のベース２０、ベース２０に対して垂直に立設される垂直部３０、垂直部３０に設けられた取付部４０、及び矢線Ｒで示す垂直部３０の後方から突出する固定棚５０を主要構成として備える。
【００３２】
図２で示すように、ベース２０は、本実施の形態では、前端２０ａ、後端２０ｂ及び前端２０ａと後端２０ｂとを連続する両側端２０ｃ、２０ｃを有する平面視略矩形の金属製であって、矢線Ｗで示すベース２０の幅は、ロボット掃除機１１０の一対の駆動輪の輪幅に合わせて設定されている。
【００３３】
このベース２０は、垂直部３０が立設される平面部２１、及び平面部２１と連続して形成された傾斜部２２を備える。傾斜部２２は、ベース２０が床面に載置された状態で床面に向かって漸次低くなるように傾斜して、床面と段差がなく床面と連続するように形成されており、本実施の形態では、床面に対して３．５°の傾斜角となるように設定されている。
【００３４】
図３及び図１で示すように、垂直部３０は、本実施の形態では、金属製の角材で構成された一対の支柱３１、３１、及び一対の支柱３１、３１に取り付けられる金属製のボード３２によって構成される。
【００３５】
一対の支柱３１、３１には、本実施の形態では、支柱３１、３１の長尺方向に沿って複数の係止孔３１ａが形成されており、ベース２０の下方から図示しないボルトによってベース２０の平面部２１に固定されて、ベース２０に立設される。
【００３６】
ボード３２は、正面部３２ａ及び正面部３２ａの両側縁から折曲して形成された両側部３２ｂ、３２ｂを有する断面コ字状あるいはＣ字状であって、この両側部３２ｂ、３２ｂにおいて一対の支柱３１、３１にボード３２が係合され、係合された状態でボード３２が支柱３１、３１に強固に溶接される。これにより、垂直部３０が構成される。
【００３７】
再び図１で示すように、垂直部３０の上部には、取付部４０が設けられている。この取付部４０は、本実施の形態では、ボード３２の正面部３２ａの上部に設定された基部４１、基部４１に形成された複数の取付孔４２、及び取付孔４２の上部に形成された正面視略矩形の通過孔４３を備える。
【００３８】
このような構成の掃除機収納台１０には、本実施の形態では、図３及び図４で示すように、固定棚５０が設けられている。この固定棚５０は、垂直部３０から垂直部３０の後方Ｒに突出する載置部５１、この載置部５１から上方に屈曲するフランジ部５２、及びフランジ部５２の外表面に設けられてこの外表面から突出する樹脂製の衝撃緩衝材５３を有する。
【００３９】
固定棚５０は、本実施の形態では、載置部５１において垂直部３０を構成する一対の支柱３１、３１の間に架設されてネジ等の締結部材で固定され、固定された状態において、ベース２０の後端２０ｂに対する差分ｄの分だけ、垂直部３０の後方Ｒに向かって突出する。
【００４０】
この差分ｄは、本実施の形態では、掃除機収納台１０が壁際に配置された際に、固定棚５０が壁に当接するのに十分な長さである２０ｍｍに設定されている。
【００４１】
さらに、掃除機収納台１０は、配線結束部材６０を有する。この配線結束部材６０は、環状のフックを有し、ベース２０の平面部２１において、垂直部３０の後方Ｒ側に設けられている。
【００４２】
この配線結束部材６０のフックに、直立型掃除機１００の充電器１０５に通電する配線が通されることによって、配線の大幅な揺動が規制される。
【００４３】
図５は、掃除機収納台１０に直立型掃除機１００の充電器１０５が取り付けられ、かつロボット掃除機１１０の充電器１１５が配置された状態の概要を説明する図、図６は、これらの充電器１０５、１１５に各掃除機１００、１１０が装着されて掃除機収納台１０に収納された状態の概要を説明する図である。
【００４４】
図５で示すように、垂直部３０の上部に設けられた取付部４０には、直立型掃除機１００の充電器１０５が取り付けられる。具体的には、取付部４０の基部４１に充電器１０５が配置された状態で、基部４１に形成された複数の取付孔４２を介してネジ等の締結部材を締結することによって、充電器１０５を基部４１に固定する。
【００４５】
このとき、充電器１０５に通電する配線を、通過孔４３から通過させて、垂直部３０の一対の支柱３１、３１の間に垂下させておき、ベース２０に設けられた配線結束部材６０のフックを通過させておく。
【００４６】
一方、ベース２０には、ロボット掃除機１１０が帰還する帰還位置として設定された充電器１１５が配置される。
【００４７】
このように、掃除機収納台１０に直立型掃除機１００の充電器１０５が取り付けられ、かつロボット掃除機１１０の充電器１１５が配置された状態において、図６で示すように、充電器１０５に直立型掃除機１００が充電部１０１ａを介して装着されることによって、直立型掃除機１００が直立したままの状態で掃除機収納台１０に収納される。
【００４８】
掃除機収納台１０を壁際に配置すると、固定棚５０のフランジ部５２が衝撃緩衝材５３を介して壁に当接する。したがって、垂直部３０が固定棚５０を介して壁に支持されることで、垂直部３０の揺動が規制されることから、直立型掃除機１００を充電器１０５に装着する際、あるいは充電器１０５から離脱させる場合には、掃除機収納台１０のぐらつきが抑制される。
【００４９】
このとき、ベース２０の後端２０ｂが壁の幅木に当接する場合であっても、固定棚５０は、ベース２０の後端２０ｂに対して２０ｍｍ程度、垂直部３０の後方Ｒに向かって突出することから、固定棚５０のフランジ部５２の壁への当接が阻害されることがない。
【００５０】
さらに、直立型掃除機１００が充電器１０５に装着されて掃除機収納台１０に収納されているときに、直立型掃除機１００の自重によって垂直部３０が若干前傾したとしても、固定棚５０は２０ｍｍ程度、垂直部３０の後方に突出していることから、固定棚５０のフランジ部５２が壁から離間することなく当接される。
【００５１】
したがって、充電器１０５に対して直立型掃除機１００を脱着する際にも、掃除機収納台１０のぐらつきが抑制されて、直立型掃除機１００の脱着を安定して行うことができる。
【００５２】
このような固定棚５０は、載置部５１から上方に屈曲させてフランジ部５２を形成することによって、簡易に形成することができる。このフランジ部５２の外表面に、外表面から突出する衝撃緩衝材５３が設けられていることから、フランジ部５２が壁から付与される作用力が緩和される。
【００５３】
取付部４０に取り付けられた充電器１０５に直立型掃除機１００を装着すると、直立型掃除機１００の吸込パイプ１０２の先端１０２ｂに連結された吸込ヘッド１０３とベース２０との間に、ロボット掃除機１１０を収納する収納空間Ｓが形成され、この収納空間Ｓにロボット掃除機１１０が収納される。
【００５４】
すなわち、取付部４０に取り付けられた充電器１０５に直立型掃除機１００が装着されたときに、直立型掃除機１００の吸込ヘッド１０３とベース２０との間に収納空間Ｓが形成される垂直部３０における高さ位置に、取付部４０が形成される。
【００５５】
このように、直立型掃除機１００が直立したままの状態で掃除機収納台１０に収納される一方、ロボット掃除機１１０が直立型掃除機１００の吸込ヘッド１０３とベース２０との間に形成される収納空間Ｓに収納されることから、収納効率の低下を招くことなく、直立型掃除機１００とロボット掃除機１１０とを省スペースで収納することができる。
【００５６】
しかも、直立型掃除機１００の吸込ヘッド１０３とベース２０との間の収納空間Ｓに収納されたロボット掃除機１１０が、自走によりベース２０から降下して床面の掃除を実施し、床面の掃除が完了すると、ロボット掃除機１１０がベース２０に帰還して、自律的に収納空間Ｓに収納される。
【００５７】
一方、ベース２０には、本実施の形態では、床面と段差がなく床面と連続する傾斜部２２が形成されていることから、ロボット掃除機１１０がベース２０から降下する際、あるいはベース２０に搭乗する際には、ロボット掃除機１１０に衝撃が付与されることがない。したがって、ロボット掃除機１１０のベース２０へのスムーズな乗降が実現される。
【００５８】
ロボット掃除機１１０の充電量の減少によって、駆動輪を駆動させる出力が低下している場合であっても、本実施の形態では、傾斜部２２が、床面と段差がなく床面と連続し、床面に対して３．５°の緩慢な傾斜角であることから、ベース２０に容易に搭乗することができる。
【００５９】
さらに、本実施の形態では、掃除機収納台１０は固定棚５０を具備することから、この固定棚５０に、直立型掃除機１００に附属する例えば隙間ノズル等の吸込用部材を載置することができる。したがって、掃除機の収納効率が向上する。
【００６０】
掃除機収納台１０は、本実施の形態では、環状のフックを有する配線結束部材６０を具備することから、このフックに、直立型掃除機１００の充電器１０５に通電する配線が通されることによって、配線の大幅な揺動が規制される。
【００６１】
なお、本考案は上記実施の形態に限定されることはなく、考案の趣旨を逸脱しない範囲で種々変更可能である。上記実施の形態では、掃除機収納台１０が、垂直部３０の後方Ｒに突出する固定棚５０を具備することを説明したが、図７で示すように、固定棚５０に加えて、複数の可動棚７０〜７２を具備するように構成してもよい。
【００６２】
図示のように、可動棚７０〜７２は、垂直部３０を構成する一対の支柱３１、３１に形成された複数の係止孔３１ａに係合する図示しない係合フックを有し、この係合フックを任意の係止孔３１ａに係合させることによって、可動棚７０〜７２を配置する位置を容易に変更することができる。
【００６３】
なお、この可動棚７０〜７２にも、固定棚５０と同様に、直立型掃除機１００に付属する各種の吸込用部材を載置することができる。
【００６４】
本実施の形態では、掃除機収納台１０にロボット掃除機１１０が収納される収納空間Ｓが形成される場合を説明したが、収納空間Ｓが形成されないで、直立型掃除機１００のみが直立した状態で収納される掃除機収納台であってもよい。
【符号の説明】
【００６５】
１０    掃除機収納台
２０    ベース
２０ｂ    後端
２２    傾斜部
３０    垂直部
４０    取付部
５０    固定棚
５１    載置部
５２    フランジ部
５３    衝撃緩衝材
７０〜７２    可動棚
１００    直立型掃除機
１０１    本体部
１０１ａ    充電部
１０３    吸込ヘッド（吸込用部材）
１０５    充電器
１１０    ロボット掃除機
【図１】
0003210455.tif 000003
【図２】
0003210455.tif 000004
【図３】
0003210455.tif 000005
【図４】
0003210455.tif 000006
【図５】
0003210455.tif 000007
【図６】
0003210455.tif 000008
【図７】
0003210455.tif 000009
【図８】
0003210455.tif 000010